(57)【特許請求の範囲】
【請求項１】
本体と、
前記本体から延在する固定配列であって、前記固定配列は複数の弾性的な偏向部材で形成されており、前記複数の弾性的な偏向部材は、卵を卵容器から除去するために複数の弾性的な偏向部材の機械的作動なしで、前記卵が前記固定配列内に収容されるように、前記固定配列が前記卵容器によって運ばれる前記卵の上に下降するときに、卵の周囲で且つ卵の輪郭に沿って偏向するように構成されており、また前記固定配列は可撓性の形状記憶材料で形成されており、前記固定配列は、卵に係合するとき前記固定配列により卵に掛けられた力により、軸線がずれて配向されている卵を、卵の縦軸に沿って垂直に整合させるようになっている、前記固定配列と、
前記卵を前記固定配列から解放するように構成される解放装置であって、前記解放装置はシャフトを有し、前記シャフトの端部は、前記卵を前記固定配列との係合から外すために前記卵に直接接触するように構成される、解放装置と、を備える、卵持ち上げ装置。
【請求項２】
前記弾性的な偏向部材は可撓性の形状記憶材料で形成されており、前記卵が受容されることが可能である開放端部配列を形成するように協働する、複数の弾力性部材を備える、請求項１に記載の卵持ち上げ装置。
【請求項３】
前記本体と動作可能に係合される作動装置をさらに備え、前記作動装置は、前記本体及びそれから延在する前記固定配列を直線的に移動させるように構成される、請求項１に記載の卵持ち上げ装置。
【請求項４】
前記解放装置は、付勢部材を有する、請求項１に記載の卵持ち上げ装置。
【請求項５】
前記解放装置は、空気圧で動作するように構成される解放作動装置を有する、請求項４に記載の卵持ち上げ装置。
【請求項６】
枠組みと、
前記枠組みと動作可能に係合され、卵容器によって運ばれる複数の卵と相互作用するために上昇及び下降するように構成されるヘッドと、
前記ヘッドと動作可能に係合される複数の卵持ち上げ装置であって、各卵持ち上げ装置は複数の弾性的な偏向部材で形成された固定配列を有し、前記複数の弾性的な偏向部材は、卵を前記卵容器から除去するために複数の弾性的な偏向部材の機械的作動なしで、卵が前記それぞれの持ち上げ装置内に収容されるように、前記固定配列が前記卵容器によって運ばれる前記卵の上に下降するときに、卵の周囲で且つ卵の輪郭に沿って偏向するように構成されており、また前記固定配列は可撓性の形状記憶材料で形成されており、前記固定配列は、卵に係合するとき前記固定配列により卵に掛けられた力により、軸線がずれて配向されている卵を、卵の縦軸に沿って垂直に整合させるようになっている、前記卵持ち上げ装置と、を備え、
各卵持ち上げ装置は、それと関連付けられた解放装置を有し、各解放装置は、前記卵を前記固定配列から解放するように構成され、前記解放装置はシャフトを有し、前記シャフトの端部は、前記卵を前記固定配列との係合から外すために前記卵に直接接触するように構成される、卵除去システム。
【請求項７】
前記弾性的な偏向部材は、可撓性の形状記憶材料で形成されており、前記卵が受容されることが可能である開放端部配列を形成するように協働する、複数の弾力性部材を備える、請求項６に記載の卵除去システム。
【請求項８】
各卵持ち上げ装置は、前記ヘッドから延在するそれぞれの作動装置と動作可能に係合され、各作動装置は、前記本体と動作可能に係合され、前記卵持ち上げ装置が上昇及び下降することが可能であるように、前記固定配列を直線的に移動させるように構成される、請求項６に記載の卵除去システム。
【請求項９】
前記固定配列が前記卵の周囲で卵の確保のために偏向することが可能であるように、前記卵容器内に収容される各卵を持ち上げるように構成される卵支持アセンブリをさらに備える、請求項６に記載の卵除去システム。
【請求項１０】
各解放装置は、付勢部材を有する、請求項６に記載の卵除去システム。
【請求項１１】
前記解放装置は、空気圧で動作するように構成される解放作動装置を有する、請求項１０に記載の卵除去システム。
【請求項１２】
前記ヘッドは、
前記固定配列を動作可能に係合させた第１のプレートと、
前記第１のプレートに対して静止しているように構成される第２のプレートであって、前記解放装置を動作可能に係合させた、第２のプレートと、を備え、
前記第１のプレートは、前記卵を前記固定配列との係合から強制的に外すために、前記第１のプレートと第２のプレートとの間の離間距離が近づくときに、前記卵が前記解放装置と相互作用するように、前記第２のプレートに対して移動するように構成される、請求項６に記載の卵除去システム。
【請求項１３】
卵容器から卵を輸送する方法であって、
卵容器によって運ばれる卵と相互作用させるために、卵持ち上げ装置を下降させることと、
可撓性の形状記憶材料で形成された複数の弾性的な偏向部材を有する、前記卵持ち上げ装置の固定配列を前記卵と接触させることと、
前記固定配列が前記卵の上に下降するときに、前記卵の周囲で且つ卵の輪郭に沿って前記固定配列を偏向させることによって、複数の弾性的な偏向部材の機械的作動なしで、前記卵を前記固定配列内に収容することであって、前記固定配列は、卵に係合するとき前記固定配列により卵に掛けられた力により、軸線がずれて配向されている卵を、卵の縦軸に沿って垂直に整合させるようになっている、前記卵を前記固定配列内に収容することと、
前記卵容器から前記卵を持ち上げるように、前記持ち上げ装置を上昇させることと、
前記卵を前記固定配列との係合から外すために前記卵が解放装置に直接接触するように、前記固定配列と解放装置との間の相対運動によって前記卵を前記固定配列から解放することと、を含み、
前記解放装置はシャフトを有し、前記卵が解放装置に直接接触することは、前記シャフトの端部が、前記卵を前記固定配列との係合から外すために前記卵に直接接触することである、
方法。
【請求項１４】
前記固定配列が前記卵を収容することが可能であるように、前記卵を卵用フラットから出して下から持ち上げるステップをさらに含む、請求項１３に記載の方法。
【請求項１５】
駆動アセンブリを有するトラックシステムと、
前記トラックシステムに沿って前記卵持ち上げ装置を移動させるために、前記駆動アセンブリと動作可能に係合される複数の卵持ち上げ装置であって、各卵持ち上げ装置は固定配列を有し、該固定配列は、卵を持ち上げて輸送するために前記それぞれの持ち上げ装置内に、複数の弾性的な偏向部材の機械的作動なしで卵が収容されるように、前記固定配列が前記卵の上に下降するときに、卵の周囲で且つ卵の輪郭に沿って偏向するように構成された前記複数の弾性的な偏向部材で形成されており、
また前記固定配列は可撓性の形状記憶材料で形成されており、前記固定配列は、卵に係合するとき前記固定配列により卵に掛けられた力により、軸線がずれて配向されている卵を、卵の縦軸に沿って垂直に整合させるようになっている、前記複数の卵持ち上げ装置と、を備え、
各卵持ち上げ装置は、それと関連付けられた解放装置を有し、各解放装置は、前記卵を前記固定配列から解放するように構成され、前記解放装置はシャフトを有し、前記シャフトの端部は、前記卵を前記固定配列との係合から外すために前記卵に直接接触するように構成される、卵輸送システム。
【請求項１６】
前記駆動アセンブリは、チェーン、ベルト、磁気駆動アセンブリ、または線形駆動アセンブリのうちのいずれか１つを備える、請求項１５に記載の卵輸送システム。
【請求項１７】
前記トラックシステムは、マルチレーントラックシステムを形成するように、複数のトラックを含む、請求項１５に記載の卵輸送システム。
【請求項１８】
各卵持ち上げ装置は、前記卵持ち上げ装置が前記トラックシステム全体を通じて移動するときに、前記卵持ち上げ装置及びそれによって運ばれるそれぞれの卵を追跡するための追跡識別子を備える、請求項１５に記載の卵輸送システム。
【請求項１９】
各卵持ち上げ装置は、それによって運ばれる前記卵から試料を受容するための試料受容セグメントを備える、請求項１５に記載の卵輸送システム。
【請求項２０】
卵を穿孔することが可能な複数の卵処理装置をさらに備え、各卵処理装置は、前記卵処理装置が前記卵持ち上げ装置によって運ばれる卵と相互作用することが可能であるように、それぞれの卵持ち上げ装置と同軸上に整合するように構成される、請求項１５に記載の卵輸送システム。
【請求項２１】
前記卵処理装置が前記卵と相互作用する間、前記卵を支持することが可能な複数の卵支持装置をさらに備える、請求項２０に記載の卵輸送システム。
【請求項２２】
請求項１５〜２１のいずれか１項に記載の前記卵輸送システムを使用して卵を輸送する方法。
【発明の詳細な説明】
【技術分野】
【０００１】
本開示は、概して、卵処理装置に関する。より具体的には、本開示は、卵用フラットまたは容器内に収容される卵を持ち上げることが可能な卵持ち上げ装置、ならびに関連システム及び方法に関する。
【背景技術】
【０００２】
家禽孵化施設内で鳥卵を処理するために、種々の機械的卵処理システムが使用される。そのような機械的卵処理システムは、例えば、セッターインキュベータと関連したトレイ（一般的に「フラット」と称される）から、ハッチャーインキュベータと関連した容器（一般的に「孵化バスケットと称される）に卵を輸送するための輸送システムを含んでもよい。他の場合においては、そのような機械的卵処理システムの一例は、フラットからある特定の卵を除去するための卵除去システムを含んでもよい。卵除去システムの場合、生存卵から非生存卵を除去して、利用可能なインキュベータ空間を増加させ、汚染のリスクを低減し、かつ卵内接種に関連したワクチン費用を節約することが慣行である。
【０００３】
従来、非生存に指定された卵は、手動で、または自動卵除去装置を介して除去される。自動卵除去装置は、従来、米国特許第４，６８１，０６３号（Ｈｅｂｒａｎｋ）、米国特許第５，０１７，００３号（Ｋｅｒｏｍｎｅｓ  ｅｔ  ａｌ．）、または米国特許第７，０８３，２０８号（Ｉｌｉｃｈ）に開示されるように、吸引型持ち上げ装置を採用する場合がある。
【０００４】
しかしながら、そのような吸引型持ち上げ装置は、典型的には、機能するために追加の機構及び所要電力を必要とする真空システムを採用する場合がある。さらに、そのような吸引型持ち上げ装置は、特に卵内の細菌蓄積によって爆発する卵を係合した後、維持及び洗浄することが困難になる可能性がある。加えて、ポリマー系吸引カップは、連続使用後にリップ領域の周囲で変形し、それにより持ち上げ装置の吸引及び持ち上げ能力に影響を及ぼす可能性がある。加えて、吸引型持ち上げ装置は、卵用フラット内である角度で配向される卵をまっすぐにしない。
【０００５】
したがって、単純化された方法で卵を持ち上げることが可能な卵持ち上げ装置及び関連システムを提供すると同時に、そのような装置の維持の容易さを改善し、さらに軸を外れて配向された卵をまっすぐにする追加の機能を提供することが望ましい。さらに、改善された卵の持ち上げを単純化及び促進する関連方法を提供することが望ましい。
【発明の概要】
【０００６】
上記及び他の必要性は、本開示の態様によって満たされ、それは一態様によると、本体と、本体から延在する固定配列とを有する卵持ち上げ装置を提供する。固定配列は、卵がそれを持ち上げるために固定配列内に収容されるように、卵の周囲で係合及び偏向するように構成される。一態様によると、固定配列は、卵が受容されることが可能である開放端部配列を形成するように協働する複数の弾力性部材を含む。
【０００７】
別の態様は、枠組みと、枠組みと動作可能に係合され、上昇及び下降するように構成されるヘッドとを有する卵除去システムを提供する。複数の卵持ち上げ装置は、ヘッドと動作可能に係合される。各卵持ち上げ装置は、卵がそれを持ち上げるためにそれぞれの持ち上げ装置内に収容されるように、卵の周囲で係合及び偏向するように構成される固定配列を有する。一態様によると、各卵持ち上げ装置は、本体と、それから延在する固定配列とを有する。
【０００８】
さらに別の態様は、卵用フラットから卵を除去する方法を提供する。該方法は、卵持ち上げ装置を下降させて、卵と相互作用させることを含む。該方法はさらに、卵持ち上げ装置の固定配列を卵と接触させることを含む。該方法はさらに、卵の周囲で固定配列を偏向させることによって、固定配列内に卵を収容することを含む。該方法はさらに、持ち上げ装置を上昇させて、卵用フラットから卵を持ち上げることを含む。一態様によると、該方法はさらに、解放装置を駆動させることによって、固定配列から卵を解放することを含む。
【０００９】
さらに別の態様は、駆動アセンブリを備えるトラックシステムを有する卵輸送システムを提供する。卵輸送システムはさらに、トラックシステムに沿って卵持ち上げ装置を移動させるために、駆動アセンブリと動作可能に係合される複数の卵持ち上げ装置を含む。各卵持ち上げ装置は、卵がそれを持ち上げて輸送するためにそれぞれの持ち上げ装置内に収容されるように、卵の周囲で係合及び偏向するように構成される固定配列を有する。
【００１０】
したがって、本開示の種々の態様は、本明細書に別の方法で詳述されるような利点を提供する。
【図面の簡単な説明】
【００１１】
したがって、本開示の種々の実施形態を大まかに記載してきたが、ここで添付の図面を参照し、それらは必ずしも正確な縮尺率で描かれてはいない。
【図１】本開示の一態様に従った、複数の卵持ち上げ装置を実装することが可能な卵除去システムの斜視概略図である。
【図２】本開示の一態様に従った卵持ち上げ装置の正面図である。
【図３】本開示の一態様に従った卵持ち上げ装置の一部分の拡大図である。
【図４】本開示の一態様に従った、卵を係合する卵持ち上げ装置の一部分の拡大図である。
【図５】本開示の一態様に従った、卵用フラットから１つ以上の卵を除去する位置の複数の卵持ち上げ装置の正面図である。
【図６】本開示の一態様に従った、卵持ち上げ装置が卵用フラットから卵を除去する、卵持ち上げ／解放順序を示す。
【図７】卵が軸を外れて配向される、卵用フラットから卵を除去する位置の従来技術の吸引型持ち上げ装置の正面図である。
【図８】卵用フラットから卵を除去した後の図７の従来技術の吸引型持ち上げ装置の正面図である。
【図９】本開示の一態様に従った、卵用フラットから卵を除去する位置の卵持ち上げ装置の正面図である。
【図１０】卵用フラットから卵を除去した後の図９の卵持ち上げ装置の正面図である。
【図１１】本開示の一態様に従った、卵持ち上げ装置のための固定配列の種々の概略図である。
【図１２】本開示の一態様に従った、卵持ち上げ装置のための固定配列の種々の概略図である。
【図１３】本開示の一態様に従った、卵持ち上げ装置のための固定配列の種々の概略図である。
【図１４】本開示の一態様に従った、複数の卵持ち上げ装置を有するヘッドの斜視概略図である。
【図１５】本開示の一態様に従った、卵用フラットから卵を除去するための複数の卵持ち上げ装置を有する手動卵除去装置の斜視図である。
【図１６】本開示の一態様に従った、複数の卵持ち上げ装置を実装する卵除去システムの斜視概略図である。
【図１７】本開示の一態様に従った、複数の卵持ち上げ装置を実装する卵輸送システムの正面図である。
【図１８】固定位置の卵を示す、複数の卵持ち上げ装置を実装する卵輸送システムの部分正面図である。
【図１９】部分的解放位置の卵を示す、複数の卵持ち上げ装置を実装する卵輸送システムの部分正面図である。
【図２０】本開示の一態様に従った卵輸送システムの正面図である。
【図２１】本開示の一態様に従った、卵輸送システムのマルチレーントラックシステムの概略図である。
【図２２】本開示の一態様に従った、卵支持アセンブリと併せて実装される卵輸送システムの正面図である。
【図２３】本開示の一態様に従った、卵処理装置と相互作用するために位置付けられる卵持ち上げ装置によって運ばれる卵を示す。
【図２４】本開示の一態様に従った、トラックシステムに連結される卵持ち上げ装置が卵を輸送する、卵輸送システムの斜視概略図である。
【図２５】本開示の一態様に従った、種々のトラックに沿って卵を、その識別された特徴に従って送達することが可能な卵輸送システムの概略図である。
【図２６】本開示の一態様に従った、性別に従って卵を分類することが可能な卵輸送システムの概略図である。
【発明を実施するための形態】
【００１２】
ここで、本開示の種々の態様が、添付の図面を参照して以下により詳しく記載され、図面中、本開示の全ての態様ではなく一部の態様が示される。実際には、本開示は、多くの異なる形態で具体化され得、本明細書に記載される態様に限定されるものと解釈されるべきではなく、むしろ、これらの態様は、本開示が適用できる法的要件を満たすように提供される。全体を通して、同様の番号は同様の要素を指す。
【００１３】
本開示は、卵を持ち上げるための装置、システム、及び方法に関する。いくつかの態様によると、本開示は、卵を持ち上げるための真空なし／吸引なしの手段を提供する。真空なし／吸引なしという用語は、該卵を持ち上げるために、卵と相互作用するために必要とされる真空または吸引がないことを指す。代わりに、本開示の態様は、卵を固定して持ち上げるための物理的係合手段を提供する。そのような真空なし／吸引なしの本開示の態様は、卵を持ち上げるための手段を単純化すること、維持の容易さを改善すること、及び信頼性を改善することを含む、多くの利点を提供する。
【００１４】
図１、１６、及び１７は、自動卵処理システムを示す。図１及び１６は、卵除去システム１００を示す。図１に示される特定の態様によると、卵除去システム１００は、卵を除去及び／または移動させることが可能である。しかしながら、本開示の態様は、図１の例示された卵除去システム１００に限定されない。本開示の態様は、卵の持ち上げが望ましい任意のシステムまたは装置上に実装され得る。例えば、本開示の態様は、セッターインキュベータトレイ（いわゆる「卵用フラット」）からハッチインキュベータトレイ（いわゆる「孵化バスケット」）に卵を輸送するために使用される卵輸送システム（図１７）上に実装されてもよい。
【００１５】
図１に示されるように、卵除去システム１００は特に、概して垂直な配向で卵を個々に受容及び維持するための複数の容器を含む卵用フラット３０（図５）内に位置付けられる卵を除去するように適合されてもよい。好適な市販のフラットの例としては、「ＣＨＩＣＫＭＡＳＴＥＲ  ５４」フラット、「ＪＡＭＥＳＷＡＹ  ４２」フラット、及び「ＪＡＭＥＳＷＡＹ  ８４」フラット（各場合において、番号はフラットによって運ばれる卵の数を示す）が挙げられるがこれらに限定されない。卵除去システム１００を使用して、全ての、または選択された卵が、卵リムーバヘッド２００の下に位置付けられたときに卵用フラットから除去され得る。
【００１６】
いくつかの態様によると、卵除去システム１００は、枠組み１１０と、卵除去システム１００を通じて除去位置まで自動で卵用フラットを移動させるために提供されるコンベヤアセンブリ１１２とを含んでもよい。コンベヤアセンブリ１１２は、卵用フラットを受容し、除去位置まで誘導するように構成されるガイドレールシステムを含んでもよい。コンベヤアセンブリ１１２はさらに、卵除去システム１００内の卵用フラットの適切な指標付け及び位置付けのために、適切な停止要素、センサ、ベルト、永久ループ、モータなどを含んでもよい。場合によっては、卵用フラットは、卵除去システム１００を通じて手動で前進させられてもよい。
【００１７】
卵用フラットを介して卵除去システム１００に入る卵は、異なる分類特性を有し得る。例えば、卵用フラットは、生存能力、病原体含有量、遺伝子解析、またはこれらの組み合わせに基づき分類可能である卵を含む場合がある。したがって、卵は、卵用フラット内に収容される各卵に対する分類をもたらすために、卵分類器システムに通される。そのような卵は、生存可能または生存不能と分類されてもよく（すなわち、卵分類器システムに従って、生存可能な胚を含有しない卵）、生存不能な卵はさらに、例えば無精卵、腐敗卵、または死卵に下位分類されてもよい。例示的な卵分類器システムは、例えば、検卵技術（不透明度、赤外線、ＮＩＲなど）、アッセイ技術、または他の既知の、かつ好適な分類方法、プロセス、もしくは技術を使用して、卵を分類することが可能であり得る。分類後、卵は、例えば、卵用フラットから生存不能な卵を除去するなど、識別された分類に従って、卵除去システム１００を使用して卵用フラットから適切に除去されてもよい。
【００１８】
図１に示されるように、卵除去システム１００は、枠組み１１０に連結される卵リムーバヘッド２００を含んでもよい。図１４に示されるように、卵リムーバヘッド２００は、卵用フラット３０から卵を選択的または非選択的に除去することが可能な複数の卵持ち上げ装置５００を含んでもよい。場合によっては、卵リムーバヘッド２００は、図５に示されるように、卵持ち上げ装置５００が固定、連結、または別様に係合される固定板２２０を含んでもよい。いくつかの態様によると、固定板２２０は、卵持ち上げ装置５００を受容するための複数の穴を画定してもよい。場合によっては、卵持ち上げ装置５００は、選択的または個々に制御されてもよい。つまり、卵持ち上げ装置５００は、そのそれぞれの卵との相互作用が選択的に制御され得るように選択的に配置されてもよい。例えば、卵持ち上げ装置５００は、第１の卵の部分集合（例えば、生存または生存可能）に分類された卵のみが卵用フラットからの除去または輸送のために接触させられるように、それぞれの卵を選択的に係合するように構成されてもよい。そのような場合、第２の卵の部分集合（例えば、非生存または生存不能）は、卵持ち上げ装置５００のいずれからの接触もなく、さらなる処理のために卵用フラット内にとどまってもよい。
【００１９】
いくつかの態様によると、コンベヤアセンブリ１１２は、卵用フラット内に保管される卵が卵分類器システムを過ぎて輸送してもよく、各卵がそれを通過し、そのデータ（卵分類状態）が各卵に対して生成され得るようにする。卵分類器システムによって収集されたデータは、各卵と関連したデータを処理及び記憶するために制御装置に提供されてもよい。次いで、制御装置は、卵持ち上げ装置５００に送信する選択可能な除去信号を生成することが可能であってもよく、個々の卵持ち上げ装置５００（または卵持ち上げ装置５００の部分集合）が、卵分類器システムによって収集されたデータに基づいた各卵に対する分類状態に従って、種々の位置に別々及び個々に配置されるようにする。
【００２０】
他の場合においては、卵処理装置１００は、枠組み１１０に連結され、卵リムーバヘッド２００の下の除去位置にあるときに、卵用フラット３０内に収容される卵と相互作用するために垂直に移動するように構成される、卵リムーバヘッド２００を含んでもよい。卵リムーバヘッド２００は、卵用フラット内の卵との相互作用を促進するために垂直に移動するために、空気圧で、または電気的に駆動されてもよい。場合によっては、卵処理ヘッド２００は、当業者によって既知の通り、空気圧システムと流体連通している輸送シリンダ（図示せず）を使用して、空気圧で低下させられてもよく、かつ引き上げられてもよい。場合によっては、卵リムーバヘッド２００は、コンベヤアセンブリ１１２及び／または除去位置の外への横方向または水平の移動が可能であってもよい。他の場合においては、卵リムーバヘッド２００は、例えば、サーボモータ２０２（図１６）を使用した弓形移動が可能であってもよい。卵リムーバヘッド２００が移動可能である場合、卵持ち上げ装置５００は、卵リムーバヘッド２００に固定されてもよく、卵持ち上げ装置５００が卵を係合するために個々または別々に配置されないようにする。代わりに、卵用フラット内の全ての卵が、卵リムーバヘッド２００によって移動させられる種々の卵持ち上げ装置５００によって係合される。しかしながら、卵持ち上げ装置５００が個々または選択的に制御されるとき、卵リムーバヘッド２００はなお、卵用フラットからなんらかの他の位置に移動させられる卵を輸送することを含む、種々の理由の移動が可能であってもよい。
【００２１】
ここで図２〜４を参照すると、卵除去システム１００は、卵持ち上げ装置５００を使用した卵用フラットからの卵の除去のために、卵と係合または接触するように構成されてもよい。いくつかの態様によると、図１１〜１３にも示されるように、卵持ち上げ装置５００は、本体５０２と、固定配列５５０とを含んでもよい。場合によっては、固定配列５５０は、本体５０２から延在してもよく、本体５０２は、固定配列５００が突出するステムとして機能してもよい。本体５０２は、固定配列５５０との一体構造を有してもよいが、他の場合においては、本体５０２は、固定配列５５０とは別であってもよい。
【００２２】
固定配列５５０は、卵が卵用フラットから持ち上げられ得るか、または除去され得るように、物理的接触及び相互作用を使用して、卵を卵持ち上げ装置５００に固定するように構成されてもよい。この点で、固定配列５５０は、卵を持ち上げるために吸引なしまたは真空なしの方法で機能してもよい。固定配列５５０は、固定配列５５０が卵の上で前進または下降するときに卵の周囲で偏向することが可能であってもよく、卵が固定配列内に収容されるか、または別様に固定されるようにする。この点で、固定配列は、卵の周囲で、かつその輪郭に沿って偏向することが可能な偏向手段または偏向部材から形成されてもよく、卵は、卵を把持する偏向手段または偏向部材の機械的作動なしで固定配列内に固定されてもよい。場合によっては、固定配列５５０は、卵の周囲での固定配列５５０の偏向を促進するために開放端であってもよい。
【００２３】
固定配列５５０は、一体構造を有してもよいが、場合によっては、それは、固定配列５５０を形成するように協働する別個の構成要素から形成されてもよい。いくつかの態様によると、固定配列５５０は、柔軟性、可撓性、または弾力性材料から形成されてもよく、固定配列５５０がそれと接触するときに卵の周囲で偏向することを可能にする。このようにして、固定配列５５０は、卵が卵用フラットから持ち上げられることを可能にする抵抗性または締まりばめの方法で、その上の種々の点で卵と摩擦接触した状態にとどまってもよい。固定配列５５０は、例えば、弾力性材料、弾性材料、超弾性材料、及び形状記憶材料など、そのような偏向性、弾性、または弾力性品質を示す種々の材料で構成されてもよい。場合によっては、固定配列は、金属（例えば、ステンレス鋼もしくはニチノール）、またはポリマー成分、あるいはこれらの組み合わせで構成されてもよい。卵との初期の係合は、固定配列５５０の天然の弾性または復元張力に基づいてもよい。この点で、卵との初期の係合後、固定配列５５０は卵を保持し、したがって、卵を保持するための持続的な機械的張力を必要としない。
【００２４】
固定配列５５０は、固定配列５５０が、卵を持ち上げるための手段としてそれとの物理的接触及び係合を使用して、卵を持ち上げることを可能にする種々の形状、形態、または構造を有してもよい。１つの特定の態様によると、固定配列５５０は、本体５０２から延在する複数の弾力性部材５６０から形成されてもよい。弾力性部材５６０は、卵の一端が固定配列５５０内に容易に受容されることを可能にする開放端部配列を形成するように協働してもよい。場合によっては、弾力性部材５６０は、卵を収容するか、または固定する柔軟ワイヤ構造を形成するワイヤループの形態であってもよい。固定配列５５０がとる形態にかかわらず、卵持ち上げ装置５００は、物理的接触を用いて、かつ吸引なしで卵用フラットから卵を持ち上げることが可能であってもよい。場合によっては、種々の弾力性部材５６０は、一体的に形成されてもよいが、他の場合においては、弾力性部材５６０は、別個の構成要素であってもよい。弾力性部材５６０は、異なるサイズの卵に対応するために弾性的に屈曲することが可能であってもよい。この点で、固定配列５５０は、自動的及び受動的な把持手段を提供してもよい。弾力性部材５６０は、弾力性部材が卵上で前進させられるとき、卵を把持するために卵の輪郭に沿ってもよい。
【００２５】
いくつかの態様によると、卵持ち上げ装置５００は、固定配列５５０を引き上げる／上昇させる、及び低下させる／下降させることが可能な作動装置５２０を含んでもよい。場合によっては、作動装置５２０は、例えば、空気圧で制御されるシリンダなどの線形作動装置であってもよい。卵持ち上げ装置５００が選択的に制御される場合、各作動装置５２０は、卵用フラット３０内のそれぞれの卵の卵分類状態を示す信号を受信することが可能であってもよく、作動装置５２０が選択的に駆動して、それによりある特定の選択された卵持ち上げ装置５００のそれぞれの卵との係合または接触を促進し得るようにする。作動装置５２０を選択的に駆動させることによって、卵持ち上げ装置５００の構成要素の非生存または別様に望ましくない卵との相互作用は、有利に回避され得る。
【００２６】
いくつかの態様によると、図２〜４に示されるように、卵持ち上げ装置５００は、卵持ち上げ装置５００から卵を解放するように構成される解放装置５７５を含んでもよい。場合によっては、解放装置５７５は、卵持ち上げ装置５００との係合から卵を押し出すために、卵と接触することが可能な解放部材５８０を含んでもよい。解放部材５８０は、シャフトまたはロッド５８２と、フランジ５８４とを含んでもよく、フランジ５８４は、解放のために卵と接触する。解放装置５７５の接触部分がフランジとして例示されるが、接触部分（すなわち、卵と物理的に接触してそれに力を加える部分）は、例えば、バネ５９０（図１４）などの種々の形状、サイズ、及び構成を有してもよいことが理解されるであろう。さらに、接触部分は、卵に対する解放装置５７５の衝撃力を低下させる弾力性材料から形成されてもよい。場合によっては、持ち上げられる卵は、前の卵処理手順（例えば、処理物質が卵に注入され得るように針またはパンチで卵に穴を開けること）によってその端部に穴を含んでもよい。したがって、解放装置５７５の接触部分は、卵に対するその接触点が、例えば、円周になど、穴の外側にあり得るように構成されてもよい。さらに、穴またはその付近への衝撃を防止するために、接触部分は、卵に面する凹面を有してもよく、接触部分の外縁は卵と接触して、穴またはその付近に加えられる力を制限することによって、その亀裂を制限する。
【００２７】
場合によっては、解放部材５８０は、付勢部材を使用して付勢されてもよい。解放作動装置は、固定配列５５０から卵を押すために解放部材５８０を駆動させるために提供されてもよい。例えば、解放部材５８０は、解放作動装置によって駆動され得るバネ懸架式であってもよい。いくつかの態様によると、解放作動装置は、空気圧で作動してもよい。解放装置５７５によって卵に加えられる力は、卵を下向きに移動させ、それにより弾力性部材５６０を外向きに偏向させて、卵が固定配列５５０から解放され得るようにする。
【００２８】
場合によっては、固定配列５５０は、卵持ち上げ装置５００から卵を解放するための解放機構が、固定配列５５０に電流または温度変化を提供することによって達成され得、卵が記憶解放プロトコルに従って解放されるようにする、形状記憶材料で構成されてもよい。
【００２９】
場合によっては、図５に示されるように、卵支持アセンブリ７００は、卵用フラットから卵を引き上げて、固定配列５５０が、卵用フラット３０からの障害物なしで、その中に卵を十分に固定することが可能であるようにするために提供されてもよい。卵用フラット３０は、典型的には、各卵容器４０が、卵が下から引き上げられ得る穴を含むように開放端であってもよい。この点で、卵が、卵支持アセンブリ７００によって卵用フラットの下から引き上げられ得る一方で、卵持ち上げ装置５００は、卵用フラットの上から卵を持ち上げ除去する。つまり、卵支持アセンブリ７００が、卵用フラットの下で動作し、位置付けられ得る一方で、卵持ち上げ装置５００は、卵用フラットの上で動作し、位置付けられる。このようにして、卵支持アセンブリ７００は、固定配列５５０が卵の固定のために卵の周囲で前進させられ得るように、卵に対する支持を提供する。いくつかの態様によると、
卵支持アセンブリ７００は、各それぞれの卵容器４０から卵を個々に引き上げるために複数の台７１０を含んでもよい。このようにして、卵は、互いに別々に引き上げられ得る。
【００３０】
動作中、図５に示されるように、卵１を収容する卵用フラット３０は、卵リムーバヘッド２００の下の除去位置に搬送されてもよい。場合によっては、卵リムーバヘッド２００は、一度に複数の卵用フラット３０を処理することが可能であってもよい。
【００３１】
図６は、卵持ち上げ装置５００を使用して卵用フラット３０の容器４０から卵１を除去し、次いでそれから卵１を解放するための例示的な順序を例示する。示されるように、卵持ち上げ装置５００は、完全に引き上げられた、格納された、または上昇した位置で始まる。次いで、卵持ち上げ装置５００は、固定配列５５０が卵と接触し、偏向し始める点で、卵１を係合するために前進または下降してもよい。固定配列５５０は、卵１が除去のためにその中に完全に収容されるか、またはそれに固定されるまで、完全に下降した位置までさらに前進させられてもよい。次いで、卵持ち上げ装置５００は、容器４０から卵１を除去するために、引き上げられるか、格納されるか、または別様に上昇させられてもよい。その後、解放装置５７５の解放部材５８０は、卵１と接触するように駆動されてもよく、それにより固定配列５５０との係合から卵を押し出す。次いで、解放された卵１は、適切に捕捉または輸送され得る。
【００３２】
さらに、図９及び１０に示されるように、卵持ち上げ装置５００は、その中に受容される卵をまっすぐにすることを有利に促進し得る。つまり、卵用フラット内で軸を外れて配向された卵は、固定配列５５０が卵を係合するときにそれによって卵に加えられる力によってまっすぐにされ得る。対照的に、図７及び８に示されるように、従来技術の吸引型装置は、卵用フラット内に位置付けられたときの卵の配向を維持する。そのような卵のさらなる処理のために、卵持ち上げ装置５００を使用して自動的に、卵をまっすぐにする、または垂直に整合することが望ましくあり得る。例えば、卵は、卵への処理物質の注入のために卵用フラットに戻される場合があり、その場合、卵用フラット内で卵の縦軸に沿って垂直に整合された卵を有することが望ましくあり得る。
【００３３】
図１５は、手動卵リムーバ装置３００を示す。この場合、本体５０２は、固定配列５００が連結される板３０２として形成されてもよい。手動卵リムーバ装置３００は、装置３００を保持するための操作者のためのハンドル３１０を有してもよい。解放装置５７５は、板３０２に向かって、かつそれから離れて移動するように構成される接続装置３１５に連結されてもよく、解放装置５７５がそれから卵を解放するために、卵１と相互作用し得るようにする。
【００３４】
図１８及び１９は、卵１が卵輸送システム１００上に位置付けられる孵化バスケット内にやさしく解放され得る方法を示す。示されるように、第１の板１６０は、第２の板１７０に対して移動するように構成されてもよく、第１の板１６０が第２の板１７０に向かって移動するときに、固定解放装置５７５が卵１と相互作用して、卵１を固定配列５５０から外に押し出すようにする。この点で、ヘッド２００は、卵１が孵化バスケットとわずかに接触しているか、またはほとんど接触しているように低下させられて、卵１が孵化バスケットに接触するために移動し得る距離を制限してもよい。その後、持ち上げ装置５００が連結された第１の板１６０は、第２の板１７０に接近して上昇してもよい。したがって、固定解放装置５７５は、固定位置にとどまってもよく、それにより卵と接触して、卵１を固定配列５５０から外へ、かつ孵化バスケット内に押し出す。
【００３５】
図２０〜２６は、トラックシステム８０２に沿って卵持ち上げ装置５００を実装することが可能な卵輸送システム８００の種々の態様を示す。卵輸送システム８００は、種々の卵処理の必要性を満たす適応性のある、及び／またはカスタマイズされた処理を促進し得る。この点で、卵輸送システム８００に適応された卵持ち上げ装置５００は、例えば、コンベヤ、卵用フラット、卵リムーバ、探知器、または貯蔵庫として機能することなどを含む、多くの機能を実施し得る。その目的で、卵持ち上げ装置５００は、卵用フラットの種類及び取り扱いによって引き起こされる典型的な設計／プロセス制約を除去し得、それにより設計の複雑さ及び関連費用を低減する。場合によっては、各卵持ち上げ装置５００は、各卵が処理の開始時に卵用フラットから一度に取り上げられ、孵化バスケットなどの終点で降ろされるまで運ばれる状態のままであることを可能にし得る。
【００３６】
さらに場合によっては、卵輸送システム８００内に実装される卵持ち上げ装置５００は、セッターインキュベータまたはハッチャーインキュベータにかかわらず、インキュベータ内に卵を保管または保持するために使用されてもよい。この点で、卵輸送システム８００は、インキュベータ内に卵を方向付けてもよく、卵は卵持ち上げ装置５００内にとどまり、インキュベーションのために保管される。これは、インキュベータの内外へ卵用フラット／孵化バスケットを移動させるために現在使用されるカート／トロリーの必要性を排除し得る。加えて、各卵は、インキュベータに移動するまで、卵持ち上げ装置５００によって冷蔵室に運ばれてもよい。卵輸送システム８００は、インキュベータ内の卵の傾斜を可能にするように構成されてもよい。さらに、卵輸送システム８００は、均等な熱分布を補助するために、インキュベータ内の卵を循環させるように構成されてもよい。
【００３７】
いったん卵輸送システム８００上に搭載されると、卵は、例えば、卵識別、卵除去、卵注入、卵サンプリング、卵保持、卵加熱、卵洗浄もしくは消毒、卵積み重ね、卵分類、卵バックフィリング、卵配列（卵用フラットに従った）、卵輸送、卵密閉、または任意の他の卵処理など、種々の処理ステーションまたはモジュールに、卵持ち上げ装置５００によって運ばれてもよい。
【００３８】
場合によっては、卵持ち上げ装置５００は、標的部位における注射のために卵を提示するために、卵を傾斜させることが可能であってもよい。例えば、卵は、気室が注入のために提示されるように、卵持ち上げ装置５００によって傾斜させられてもよい。
【００３９】
図２０に示されるように、各卵持ち上げ装置５００は、各卵持ち上げ装置５００及びそれによって運ばれるそれぞれの卵を追跡するためのバーコードまたはＲＦＩＤタグなど、追跡識別子５１５を含んでもよい。そのような特徴は、特定の卵持ち上げ装置５００及び卵に対して、必要に応じて、いかなる時にも手動介入を可能にし得る。したがって、各卵は、データ処理及び解析のために、プロセス及び途中で収集されるそれに関するデータを通じて正確に追跡され得る。
【００４０】
一態様によると、図２１に示されるように、卵輸送システム８００は、マルチレーンシステムを形成する複数のトラック８０５を有するトラックシステム８０２を含んでもよい。トラック８０５は、処理のために必要に応じて、互いに対して変更されてもよく、または狭くなってもよい。例えば、トラック８０５は、卵が卵用フラット３０から除去され得るように、卵用フラット３０と一致するために狭くなってもよい。加えて、卵持ち上げ装置５００は、卵用フラット３０の卵容器４０と一致するために、トラック８０５にわたって互いに対して互い違いになってもよい。したがって、卵輸送システム８００は、任意の卵用フラットの種類から卵を除去するように容易に適合され得る。
【００４１】
図２２は、すでに本明細書に記載されたように、固定配列５５０がそれに卵１を固定することが可能になるように、卵用フラット３０から卵１を持ち上げる、または引き上げるための卵支持アセンブリ７００の使用を示す。
【００４２】
いくつかの態様によると、卵輸送システム８００は、トラックシステム８０２に沿って卵持ち上げ装置５００を移動させるための駆動アセンブリ８２０を含んでもよい。各卵持ち上げ装置５００は、駆動アセンブリ８２０に連結されて、卵輸送システム８００全体を通した卵の移動を促進し得る。駆動アセンブリ８２０は、トラックシステム８０２及びその個々のトラック８０５に沿って卵持ち上げ装置を移動させるための任意の作動装置、手段、または機構を含んでもよい。例えば、駆動アセンブリ８２０は、チェーン、ベルト、磁気駆動アセンブリ、線形駆動アセンブリ、または他の駆動機能手段のうちのいずれかを含んでもよく、備える。
【００４３】
図２３は、卵持ち上げ装置５００が卵１を、卵１から試料を抽出することが可能な処理装置９００を有するサンプリングステーションに運ぶ、サンプリングプロセスを示す。示されるように、卵１は、処理装置９００に運ばれてもよく、卵支持アセンブリ７００の台７１０は、試料抽出プロセス中に卵１を支持するように移動させられる。その後、処理装置９００は、同軸上に、卵持ち上げ装置５００内に延在し、卵を穿孔して、試料を抽出するために卵に入る。試料が抽出されると、卵持ち上げ装置５００は、さらなる処理または保持のために離れて輸送されてもよい。アッセイプレート／トレイまたは試料受容媒体９５０は、例えば、アッセイウェル９５２内に試料を受容するために、処理装置９００の下に移動させられてもよい。
【００４４】
本開示のいくつかの態様によると、卵持ち上げ装置５００は、図２４に示されるように、それによって運ばれる卵１からの試料を受容するための１つ以上の試料受容セグメントを含んでもよい。例えば、本体５０２は、トラック８０５と係合されてもよく、本体５０２は、試料を受容するための容器５０４を画定する。場合によっては、使い捨てウェル５０６が提供されてもよい。さらに他の場合においては、ろ紙などの試料受容媒体５０８が、卵持ち上げ装置５００によって運ばれる卵１からの試料を受容するために、卵持ち上げ装置５００上に提供されてもよい。この点で、複数の大型のアッセイトレイを使用するよりもむしろ、卵持ち上げ装置５００が個々のアッセイトレイとして使用されてもよい。その目的で、処理装置９００は、卵１から試料を抽出し、次いで、試料を卵持ち上げ装置５００上に配置してもよく、各卵持ち上げ装置５００が、それが保持する卵からの試料を運ぶようにする。その後、卵持ち上げ装置５００は、アッセイ処理ステップ（加熱、変性、試薬分注など）及び／またはインキュベーションのために、アッセイステーションに移動させられてもよい。この点で、別個の卵保持／アッセイステーションを必要としないことが可能であり、関連した物理的移動、制御、及び通信は排除され得る。他の場合においては、卵持ち上げ装置５００によって運ばれる試料は、アッセイに対して卵とは別に直接処理されてもよく、例えば、コリメートレンズが使用されて、各試料上に熱ランプからの熱を集中させる。試料の冷却が、試料自体に向けられた同様の方法で実装されてもよい。
【００４５】
場合によっては、卵輸送システム８００は、各卵に対して決定された識別特徴に従って卵を分類するように構成されてもよい。例えば、各卵は、性別に従って、雄、雌、または不明に特定され、それに応じて分類されてもよい。図２５に示されるように、各トラック８０５は、性別などの識別特徴に従って異なる経路に沿って卵１を方向付けるために、複数の分岐を含んでもよい。追跡識別子５１５は、各卵１がどの分岐に進むかを決定するために使用されてもよい。つまり、卵１がある特徴を有すると決定された後、それは、そのような情報を用いて、システム８００を通じて追跡される。図２５に示されるように、卵持ち上げ装置５００及びそれぞれの卵１は、適切な処理のために、雌と識別された卵に対する第１の分岐８１２、雄と識別された卵に対する第２の分岐８１４、または不明の卵（雄／雌と決定されない）に対する第３の分岐８１６を経由してもよい。図２６に示されるように、各トラック８０５の第１の分岐８１２が、雌の卵を第１の処理ステーション８８０（例えば、卵注入ステーション）に輸送してもよい一方で、各トラック８０５の第２の分岐８１４は、雄と識別された卵を第２の処理ステーション８８５（例えば、卵注入ステーション）に輸送してもよい。場合によっては、不明の卵は、対象の特徴を決定するさらなる解析のために、システムを通して別経路で送られてもよい。
【００４６】
本明細書に記載される本開示の多くの修正及び他の態様が、上記の説明及び関連図面に示される教示の利益を有して、本開示が関連する当業者に想到されるであろう。したがって、本開示は開示された特定の態様に限定されるものではないこと、及び修正及び他の態様が添付の特許請求の範囲内に含まれるよう意図することが理解されるものとする。特定の用語が本明細書に採用されるが、それらは、限定する目的ではなく、一般的及び記述的意味でのみ使用される。
【図１】
0006601878.tif 000002
【図２】
0006601878.tif 000003
【図３】
0006601878.tif 000004
【図４】
0006601878.tif 000005
【図５】
0006601878.tif 000006
【図６】
0006601878.tif 000007
【図７】
0006601878.tif 000008
【図８】
0006601878.tif 000009
【図９】
0006601878.tif 000010
【図１０】
0006601878.tif 000011
【図１１】
0006601878.tif 000012
【図１２】
0006601878.tif 000013
【図１３】
0006601878.tif 000014
【図１４】
0006601878.tif 000015
【図１５】
0006601878.tif 000016
【図１６】
0006601878.tif 000017
【図１７】
0006601878.tif 000018
【図１８】
0006601878.tif 000019
【図１９】
0006601878.tif 000020
【図２０】
0006601878.tif 000021
【図２１】
0006601878.tif 000022
【図２２】
0006601878.tif 000023
【図２３】
0006601878.tif 000024
【図２４】
0006601878.tif 000025
【図２５】
0006601878.tif 000026
【図２６】
0006601878.tif 000027